(57)【要約】      （修正有）【課題】オールシーズン対応タイプの裏地交換可能な襟なし二部式着物を提供する。【解決手段】上側着衣１２と下側着衣４２からなる。上側着衣１２は、襟なしの右上前身頃１３、左上前身頃１４および上後身頃１５と、右上前身頃１３に付設された右上衽１６と、左上前身頃１４に付設された左上衽１７と、左右一対の小袖３０，３０とで紐結び状態のもとで着用される。下側着衣４２は、下後身頃から一方の胴回り方向に延設された右下前身頃４４と、下後身頃の他方の胴回り方向に延設された左下前身頃４５と、右下前身頃４４に付設された右下衽と、左下前身頃４５に付設された左下衽４７とで巻きスカート状に着用される。上側着衣１２と下側着衣４２とには、それぞれの裏面に対し裏地３５を着脱用の止着具を介して着脱可能に配置した。【選択図】図１
0003181920.tif 000002
【実用新案登録請求の範囲】
【請求項１】
襟なしの右上前身頃、左上前身頃および上後身頃と、前記右上前身頃に付設された右上衽と、前記左上前身頃に付設された左上衽と、丸みを帯びた左右一対の小袖とで着用者の上半身側に紐結び構造のもとで着用される上側着衣と、後面中央部位に位置する下後身頃と、該下後身頃から一方の胴回り方向に延設された右下前身頃と、前記下後身頃の他方の胴回り方向に延設された左下前身頃と、前記右下前身頃に付設された右下衽と、前記左下前身頃に付設された左下衽とで前記着用者の下半身側に巻きスカート構造のもとで着用される下側着衣とで構成され、
これら上側着衣と下側着衣とには、それぞれの裏面に対し裏地を着脱用の止着具を介して着脱可能に配置したことを特徴とする裏地交換可能な襟なし二部式着物。
【請求項２】
前記裏地は、保温機能を有するフリース生地を用いて形成した請求項１に記載の裏地交換可能な襟なし二部式着物。
【請求項３】
前記下側着衣は、前記下後身頃と前記右下前身頃との上側境界線位置に手を出し入れするための開口部を有するポケットを備えるとともに、前記左下衽を幅広に形成して左下前身頃側の前記右下前身頃側への巻込み面積を増加させた請求項１または２に記載の裏地交換可能な襟なし二部式着物。
【請求項４】
前記右上前身頃側には、前記上後身頃との境界位置にある前記裾部から該裾部と同じ幅で前記右上衽方向へと引き出された適宜長さの右帯紐と、前記右上衽における前記裾部の長さ方向での開放端から前記左上衽方向へと引き出された適宜長さの右細紐とを具備させ、
前記左上前身頃側には、前記左上衽における前記裾部の長さ方向での開放端から該裾部と同じ幅で前記右帯紐方向へと引き出されて着用時に該右帯紐と結ばれる適宜長さの左帯紐と、前記裾部の下縁から１２．０〜１５．０ｃｍ上方に位置する前記上後身頃との境界に位置する裏面側から前記右細紐方向に引き出されて着用時に該右細紐と結ばれる適宜長さの左細紐とを具備させた請求項１ないし３のいずれかに記載の裏地交換可能な襟なし二部式着物。
【請求項５】
前記右帯紐は、紐幅が４．０〜６．０ｃｍで、６５．０〜７５．０ｃｍの長さとし、前記左帯紐は、紐幅が４．０〜６．０ｃｍで、５５．０〜６５．０ｃｍの長さとした請求項４に記載の裏地交換可能な襟なし二部式着物。
【請求項６】
前記上側着衣における前記右上前身頃と前記左上前身頃とは、前記裾部をそれぞれの長さ方向での開放端側に向けて前傾させた前下がり部を形成して、着用時における前記右上前身頃と前記左上前身頃とにゆとり幅を付与した請求項１ないし５のいずれかに記載の裏地交換可能な襟なし二部式着物。
【請求項７】
前記上側着衣における前記上後身頃は、着用時に首回りが位置する上縁部にその周辺が見返しで裏打ちされた凹部を設けた請求項１ないし６のいずれかに記載の裏地交換可能な襟なし二部式着物。
【請求項８】
前記下側着衣は、表面を裏側にして裏面を表側として展開した際にその中央部に位置する前記下後身頃と、該下後身頃の左方に位置する前記右下前身頃と、前記下後身頃の右方に配置する前記左下前身頃と、前記右下前身頃の左方に位置する前記右下衽と、前記左下前身頃の右方に位置する前記左下衽と備え、該左下衽の縦寸側の開放縁を前記下後身頃と前記右下前身頃との境界位置よりもやや前記下後身頃寄りの縦寸方向に沿うように位置させての巻きスカート形状の保持と簡易着脱とを可能とすべく、その胴回り部にゴム材を縫い付けて伸縮ギャザー部を形成した請求項１ないし７のいずれかに記載の裏地交換可能な襟なし二部式着物。
【請求項９】
前記下側着衣における前記下後身頃の横幅は、前記右下衽と前記右下前身頃との合計横幅と前記左下前身頃と前記左下衽との合計横幅との和よりも長くして形成した請求項８に記載の裏地交換可能な襟なし二部式着物。
【考案の詳細な説明】
【技術分野】
【０００１】
本考案は、和風の着物姿のもとで普段着として誰もが簡単に、かつ、オールシーズン着用して楽しむことができる裏地交換可能な襟なし二部式着物に関する技術である。
【背景技術】
【０００２】
着物は、日本古来からの民族衣装として様々な場所で着用されてきており、その種類も着用の目的や着用者の年齢、着用場所などに応じ得るように種々の態様のもとで提供されてきている。
【０００３】
また、着物は、上から下に向けて流れるようにして着用することができるように上下一体となった一部式着物（対丈着物）が一般的であり、これを着用することにより着物本来の美しさを演出することができるようになっている。
【０００４】
しかし、一部式着物（対丈着物）は、着付けが難しいことから、洋服のように簡単に着用することはできず、一人で着付けができるようになるまでには相当程度の熟練を要するという問題があり、また、一人で着付けができるようになったとしても着付けを終えるまでにはどうしてもある程度の時間を要するという煩雑さがあった。
【０００５】
このため、一部式着物（対丈着物）にみられた上記問題を解消するものとしては、例えば、特許文献１に開示されている「簡易着装式和服」などのような上下が別体となった二部式着物が既に提案されている。
【先行技術文献】
【特許文献】
【０００６】
【特許文献１】特開２００４−１３７６０８号公報
【０００７】
すなわち、特許文献１に開示されている「簡易着装式和服」は、二分割された上衣と下衣とのうち、上衣は、袖、前後身頃、襟、お端折りで構成され、前身頃のお端折り下線と脇線との角度が９０〜１２０度、お端折り下線と襟縁部との角度は７０〜９０度をなすようにお端折り下線が襟に向かって下がっており、左右の前身頃に設けられている着脱可能な結合手段で相互位置が固定可能となって形成されている。
【０００８】
また、下衣は、後身頃部分と左右の前身頃部分とで構成され、着用者の胴を一巡して囲み、ゴムが内蔵されたウエスト部分からこれに続く後身頃縫い合わせ部分の一定の位置までスリットが設けられ、重ねられた左右の前身頃のうち、右前身頃部分がその縁部における裾線から上部の前記縁部中間位置までを開放し、その上方のウエスト部分までの右前身頃部分の縁部が左脇縫いに縫い止められて形成されている。
【０００９】
このため、特許文献１の「簡易着装式和服」によれば、紐を用いることなく簡易に着装できる和服として用いることができ、特に、下衣のウエスト部分の位置を着用者の胴部分の適当な位置に変えることにより、身長の高低に拘わらず、簡単に美しく着用できるとされている。また、下衣は、そのまま細身のシルエットを有する洋服のロングドレスとして着用することができるともされている。
【考案の概要】
【考案が解決しようとする課題】
【００１０】
しかし、特許文献１の「簡易着装式和服」による場合には、特許文献１の図１からも明らかなように、特許文献１の図２に示されているような分割式帯との組み合わせのもとで着用しない限り、何か締まりのない着姿となって中途半端なイメージを与えてしまうという不都合があった。
【００１１】
しかも、特許文献１の「簡易着装式和服」を含む従来からある二部式着物、特に従来からある襟なし二部式着物による場合には、冬の寒い季節に着用する際には保温のため何枚も重ね着する必要があることから、着ぶくれして動きが緩慢になってしまうという不具合もあった。
【００１２】
このため、本考案者らは、襟なし二部式着物であっても、冬の寒い季節に着ぶくれすることなく着用することができるほか、夏の暑い季節であっても涼しく着用することができるオールシーズンタイプの二部式着物の開発に向けて鋭意努力を重ねてきた。
【００１３】
すなわち、本考案は、従来からある二部式着物、特に襟なし二部式着物にみられた上記課題に鑑み、春夏秋冬を問わず何時の季節であってもその時々の気温条件によく適応させて着用することができるオールシーズン対応タイプの裏地交換可能な襟なし二部式着物を提供することを目的とする。
【課題を解決するための手段】
【００１４】
本考案は、上記目的を達成すべくなされたものであり、襟なしの右上前身頃、左上前身頃および上後身頃と、前記右上前身頃に付設された右上衽と、前記左上前身頃に付設された左上衽と、丸みを帯びた左右一対の小袖とで人体の上半身側に紐結び構造のもとで着用される上側着衣と、後面中央部位に位置する下後身頃と、該下後身頃から一方の胴回り方向に延設された右下前身頃と、前記下後身頃の他方の胴回り方向に延設された左下前身頃と、前記右下前身頃に付設された右下衽と、前記左下前身頃に付設された左下衽とで前記人体の下半身側に巻きスカート構造のもとで着用される下側着衣とで構成され、これら上側着衣と下側着衣とには、それぞれの裏面に対し裏地を着脱用の止着具を介して着脱可能に配置したことを最も主要な特徴とする。
【００１５】
この場合、前記裏地は、保温機能を有するフリース生地を用いて形成するのが好ましい。また、前記下側着衣は、前記下後身頃と前記右下前身頃との上側境界線位置に手を出し入れするための開口部を有するポケットを備えるとともに、前記左下衽を幅広に形成して左下前身頃側の前記右下前身頃側への巻込み面積を増加させることもできる。
【００１６】
また、前記右上前身頃側には、前記上後身頃との境界位置にある前記裾部から該裾部と同じ幅で前記右上衽方向へと引き出された適宜長さの右帯紐と、前記右上衽における前記裾部の長さ方向での開放端から前記左上衽方向へと引き出された適宜長さの右細紐とを具備させ、前記左上前身頃側には、前記左上衽における前記裾部の長さ方向での開放端から該裾部と同じ幅で前記右帯紐方向へと引き出されて着用時に該右帯紐と結ばれる適宜長さの左帯紐と、前記裾部の下縁から１２．０〜１５．０ｃｍ上方に位置する前記上後身頃との境界に位置する裏面側から前記右細紐方向に引き出されて着用時に該右細紐と結ばれる適宜長さの左細紐とを具備させることができる。この場合、前記右帯紐は、紐幅が４．０〜６．０ｃｍで、６５．０〜７５．０ｃｍの長さとし、前記左帯紐は、紐幅が４．０〜６．０ｃｍで、５５．０〜６５．０ｃｍの長さとするのが望ましい。
【００１７】
また、前記上側着衣における前記右上前身頃と前記左上前身頃とは、前記裾部をそれぞれの長さ方向での開放端側に向けて前傾させた前下がり部を形成して、着用時における前記右上前身頃と前記左上前身頃とにゆとり幅を付与することもできる。
【００１８】
また、前記上側着衣における前記上後身頃は、着用時に首回りが位置する上縁部にその周辺が見返しで裏打ちされた凹部を設けておくこともできる。
【００１９】
また、前記下側着衣は、表面を裏側にして裏面を表側として展開した際にその中央部に位置する前記下後身頃と、該下後身頃の左方に位置する前記右下前身頃と、前記下後身頃の右方に配置する前記左下前身頃と、前記右下前身頃の左方に位置する前記右下衽と、前記左下前身頃の右方に位置する前記左下衽と備え、該左下衽の縦寸側の開放縁を前記下後身頃と前記右下前身頃との境界位置よりもやや前記下後身頃寄りの縦寸方向に沿うように位置させての巻きスカート形状の保持と簡易着脱とを可能とすべく、その胴回り部にゴム材を縫い付けて伸縮ギャザー部を形成するのが好ましい。
【００２０】
さらに、前記下側着衣における前記下後身頃の横幅は、前記右下衽と前記右下前身頃との合計横幅と前記左下前身頃と前記左下衽との合計横幅との和よりも長くして形成するのが好ましい。
【考案の効果】
【００２１】
本考案のうち、請求項１に記載の考案によれば、上側着衣と下側着衣とには、それぞれの裏面に対し裏地を着脱用の止着具を介して着脱可能に配置されているので、自分好みの裏地をその時々の状況や用途に応じて簡単に付け替えることで、袷として着用することができるほか、裏地を取り外すことでひとえ物として着用することもできる。
【００２２】
請求項２に記載の考案によれば、裏地は、保温機能を有するフリース生地を用いて形成されているので、寒い時期には着脱用の止着具を介して上側着衣と下側着衣とのそれぞれの裏面に単に取り付けることで、保温効果を高めて着用することができる。また、暑い時期には、上側着衣と下側着衣とのそれぞれの裏面に取り付けてあるフリース生地からなる裏地を単に取り外すことで、快適に着用することができる。
【００２３】
請求項３に記載の考案によれば、下側着衣は、手を出し入れするための開口部を有するポケットを備えているので、例えば携帯電話などのような携帯用小物を常に持ち歩くことができる。また、下側着衣は、左下前身頃側の右下前身頃側への巻込み面積を増加させてあるので、着用時に左下前身頃側がはだけてしまうのを効果的に防止することができる。
【００２４】
請求項４に記載の考案によれば、二部式着物は、襟なしの上側着衣と巻きスカート状の下側着衣とで構成されており、特に、上側着衣は、左右の小袖に腕を通して着込み、右細紐と左細紐とを結んだ上で、右帯紐と左帯紐とを結ぶことで、家庭でも日常着として気軽に、かつ、簡単に着用することができる。また、洋服のＶネックのような襟なしとすることで、現代的などんな髪型にもマッチさせることができるほか、手持ちのアクセサリーで襟元のおしゃれを楽しむこともできる。また、上側着衣を襟なしとして形成したことにより、着用者の首回りをすっきりとさせることができる。
【００２５】
しかも、左細紐は、裾部の下縁から１２．０〜１５．０ｃｍ上方に位置する上後身頃との境界に位置する裏面側から引き出されているので、右上衽の裾部の開放端から引き出されている右細紐と結び合わせて着用した際に、左上身前頃の裾部が右上前身頃の裾部の下から出てしまうことを確実に防いで、誰もが簡単に美しい着姿を得ることができる。
【００２６】
また、上側着衣は、その表面側に右上衽から右上前身頃と上後身頃と左上前身頃とを経て左上衽へと至る帯状の裾部を備えているほか、右上前身頃と上後身頃との境界位置にある裾部から該裾部と同じ幅で引き出された右帯紐と、左上前身左上衽における裾部の開放端から該裾部と同じ比較的細い幅で引き出された左帯紐とを備えているので、その着用時に右帯紐と左帯紐との存在感がそれだけ希薄化することで上側着衣と下側着衣との一体感を高めてすっきりとした視覚印象を見る者に与えることができる。
【００２７】
請求項５に記載の考案によれば、右帯紐は、紐幅が４．０〜６．０ｃｍで、６５．０〜７５．０ｃｍの長さとし、左帯紐は、紐幅が４．０〜６．０ｃｍで、５５．０〜６５．０ｃｍの長さとしてあるので、着用者の体格に応じて右細紐と左細紐との結び具合を変えることにより着用時におけるゆとりの調整を行うことができるほか、好みにより着用者の右の腰側でゆったりと結んだり、しっかりと結んだりすることができるほか、腰回りを一周させて着用者の左の腰側でしっかり結んだりすることもでき、寸法の調整を行いながら結び方のおしゃれを楽しむこともできる。
【００２８】
請求項６に記載の考案によれば、上側着衣の右上前身頃と左上前身頃とは、それぞれの裾部に前下がり部が形成されているので、着用時における胸のふくらみ分を吸収することができるゆとり幅を得ることができ、着姿をそれだけ美しくすることができる。
【００２９】
請求項７に記載の考案によれば、上側着衣における上後身頃は、着用時に首回りが位置する上縁部にその周辺が見返しで裏打ちされた凹部を備えているので、襟をなくしても着用時における襟首回りの保形性を高めた状態のもとで首回りにフィットさせることができる。
【００３０】
請求項８に記載の考案によれば、下側着衣は、左下衽の縦寸方向での開放縁を下後身頃と右下前身頃との境界縁よりもやや下後身頃寄りに位置させ、かつ、その胴回り部に伸縮ギャザー部を備える巻きスカート形状となって形成されているので、スカートのように簡単に着用することができるほか、その着用時に右上衽と左下衽との間の整合性を高めつつ、一部式着物の着姿と同様な一体感を伴った着姿を得ることができる。
【００３１】
請求項９に記載の考案によれば、下側着衣における下後身頃の横幅は、右下衽と右下前身頃との合計横幅と左下前身頃と左下衽との合計横幅との和よりも長くして形成されているので、着用時における着用者のヒップの丸みを極く自然に包み込むことができる。
【図面の簡単な説明】
【００３２】
【図１】本考案の一例を示す正面図であり、そのうちの（ａ）は上側着衣を、（ｂ）は下側着衣をそれぞれ示す。
【図２】図１に示す例についての背面図であり、そのうちの（ａ）は上側着衣を、（ｂ）は下側着衣をそれぞれ示す。
【図３】図１に示す例につき、その一部を広げた状態で示す正面図であり、そのうちの（ａ）は上側着衣を、（ｂ）は下側着衣をそれぞれ示す。
【図４】表面を裏側にして裏面を表側とした状態での下側着衣の要部展開図。
【図５】下側着衣の他例を左下前身頃を開いた状態で示す説明図。
【図６】本考案の着用例を具体的に示す説明図であり、そのうちの（ａ）は、着用者の右の腰側で右帯紐と左帯紐とをゆったりと結ぶ状態を、（ｂ）は、腰回りを一周させて着用者の左の腰側でしっかり結ぶ状態をそれぞれ示す。
【図７】本考案の着用後の着姿例を示す説明図。
【考案を実施するための形態】
【００３３】
本考案に係る裏地交換可能な襟なし二部式着物１１の全体は、襟なしの右上前身頃１３、左上前身頃１４および上後身頃１５と、右上前身頃１５に付設された右上衽１６と、左上前身頃１４に付設された左上衽１７と、丸みを帯びた左右一対の小袖３１，３１とからなる上側着衣１２と、巻きスカート状の下側着衣４２との二分割構成のもとで図１（ａ），（ｂ）に示すようにして形成されている。
【００３４】
このうち、襟なしで曲線を取り入れた立体裁断により形成される上側着衣１２は、その下縁部側に図１（ａ）および図２（ａ）に示されているように右上衽１６から右上前身頃１３と上後身頃１５と左上前身頃１４とを経て左上衽１７へと至る適宜幅の帯状に付設された裾部１８を備えて形成されている。なお、上側着衣１２における右上衽１６を含む右上前身頃１３の裏面１２ｂ縦方向での側縁部と左上衽１７を含む左上前身頃１４の裏面１２ｂ縦方向での側縁部とには、図３（ａ）に示されているように補強のために裏打ち部３１がそれぞれ付設されている。
【００３５】
また、右上前身頃１３は、上後身頃１５との境界位置にある裾部１８から該裾部１８と同じ幅で表面１２ａ側の右上衽１６方向へと引き出された適宜長さの右帯紐１９と、右上衽１６における裾部１８の長さ方向での開放端２０から左上衽１７方向へと引き出された適宜長さの右細紐２１とを備えている。
【００３６】
さらに、左上前身頃１４は、左上衽１６における裾部１８の長さ方向での開放端２２から該裾部１８と同じ幅で右帯紐１９方向へと引き出されて着用時に該右帯紐１９と結ばれる適宜長さの左帯紐２３と、図３（ａ）に示されているように裾部１８の下縁１８ａから１４．０〜１６．０ｃｍ上方に位置する上後身頃１５との境界に位置する裏面１２ｂ側から右細紐２１方向に引き出されて着用時に該右細紐２１と結ばれる適宜長さの左細紐２４とを備えている。
【００３７】
この場合、右帯紐１９は、紐幅が４．０〜６．０ｃｍ、好ましくは４．５〜５．５ｃｍで、６５．０〜７５．０ｃｍ、好ましくは６７．０〜７２．０ｃｍの長さが付与されて形成されている。また、左帯紐２３は、紐幅が４．０〜６．０ｃｍ、好ましくは４．５〜５．５ｃｍで、５５．０〜６５．０ｃｍ、好ましくは５８．０〜６１．０ｃｍの長さが付与されて配設されている。右細紐２１と左細紐２４とは、ともに紐幅が１．３〜１．７ｃｍ、好ましくは１．４〜１．６ｃｍで、３８．０〜４３．０ｃｍ、好ましくは３９．０〜４２．０ｃｍの長さが付与されて配設されている。
【００３８】
さらに、上側着衣１２における右上前身頃１３と左上前身頃１４とは、裾部１８をそれぞれの長さ方向での開放端２０，２２側に向けて前傾させた前下がり部２５，２６を形成することで、着用時における右上前身頃１３と左上前身頃１４とにゆとり幅を付与できるようになっている。
【００３９】
また、上側着衣１２における上後身頃１５は、着用時に首回りが位置する上縁部２７の周辺を見返し２８で裏打ちすることで保形性が高められている凹部２９が設けられている。
【００４０】
しかも、上側着衣１２の裏面１２ｂ側におけるほぼ全面は、止着具５２を介して着脱可能に取り付けられた裏地３５により覆われている。この場合に用いられる裏地３５としては、保温性に優れたフリース生地により形成されているものを用いることができるほか、自分の好みやその時々の状況や用途に応じたものを予め用意しておき、適宜選択して取り付けることができるようにしてもよい。また、止着具５２としては、ボタン構造、チャック構造、面ファスナー構造など、着脱が可能な構造を備えているものでさえあれば、適宜用いることができる。
【００４１】
一方、図４は、図３（ｂ）に示されている下側着衣４２につき、表面４２ａを裏側にして裏面４２ｂを表側とした要部展開図である。同図によれば、下側着衣４２は、その中央部に位置する下後身頃４３と、該下後身頃４３の左方に位置する右下前身頃４４と、下後身頃４３の右方に位置する左下前身頃４５と、右下前身頃４４の左方に位置する右下衽４６と、左下前身頃４５の右方に位置する左下衽４７と備えて形成されている。なお、裁断は、裾すぼまりとすることで、着用時に裾が広がった感じにならないようにしてある。
【００４２】
しかも、下側着衣４２は、図１（ｂ）、図２（ｂ）および図３（ｂ）からも明らかなように、左下衽４７の縦寸側の開放縁４７ａが下後身頃４３と右下前身頃４４との境界位置よりもやや下後身頃４３寄りの縦寸方向に沿うように位置する巻きスカート形状の維持を可能とすべく、その胴回り部４８にゴム材４９を縫い付けて形成された伸縮ギャザー部５０を備えている。なお、下後身頃４３と右下前身頃４４との上側境界線位置には、図１（ｂ）および図３（ｂ）に示されているように、手を出し入れするための開口部５７が、その開口方向を前記境界線に沿わせて設けられているポケット５６が付設されている。
【００４３】
この場合、下側着衣４２における下後身頃４３の横幅Ｗ１は、図４に示されているように着用時における着用者Ｈのヒップの丸みを極く自然に包み込むことができるように、右下衽４６と右下前身頃４４との合計横幅Ｗ２と左下前身頃４５と左下衽４７との合計横幅Ｗ３との和よりも長くして形成しておくのが好ましい。なお、下側着衣４２における下後身頃４３は、中心位置を境界にして左右等分に二分割されており、右下衽４６と右下前身頃４４とは、左下前身頃４５および左下衽４７と対となった同一寸法となっている。
【００４４】
また、下側着衣４２の裏面４２ｂ側におけるほぼ全面は、上側着衣１２と同様に、止着具５２を介して着脱可能に取り付けられた裏地５５により覆われている。この場合に用いられる裏地５５としては、保温性に優れたフリース生地により形成されているものを用いることができるほか、自分の好みやその時々の状況や用途に応じたものを予め用意しておき、適宜選択して取り付けることができるようにしてもよい。また、止着具５２としては、上側着衣１２側と同様に、ボタン構造、チャック構造、面ファスナー構造など、着脱が可能な構造を備えているものでさえあれば、適宜用いることができる。
【００４５】
図５は、下側着衣の他例を示す説明図であり、同図によれば、下側着衣４２は、下後身頃４３と右下前身頃４５との上側境界線位置に手を出し入れするための開口部５７を有するポケット５６を備えるとともに、左下衽４７を幅広に形成して左下前身頃４５側の右下前身頃４４側への巻込み面積を増加させるようにして形成されている。具体的には、左下衽４７と右下衽との横幅を、通常幅である略１１ｃｍよりも３ｃｍ程度広げた略１４ｃｍにして形成されている。この場合、左下前身頃４５の伸縮ギャザー部５０は、右下前身頃４４側の伸縮ギャザー部５０に縫い止めされることなく、フリーの状態となっており、着用時に左下前身頃４５の伸縮ギャザー部５０の開放端近傍に位置する部位をボタン止めやフック止めをするなど、適宜の止着具（図示省略）を介して右下前身頃４４側の伸縮ギャザー部５０の開放端近傍に位置する部位に取り外し可能に止め付けることができるようになっている。
【００４６】
本考案は、このようにして構成されているので、その着用は、以下の手順を踏んで行われることになる。すなわち、下側着衣４２が巻きスカート形状を呈して形成されているので、着用者Ｈは、伸縮ギャザー部５０を両手で引き延ばしながらスカートをはくようにして着用する。
【００４７】
この場合、下側着衣４２は、左下衽４７の縦寸側の開放縁４７ａが下後身頃４３と右下前身頃４４との境界位置よりもやや下後身頃４３寄りの縦寸方向に沿うように位置する配置関係にあるので、図６（ａ），（ｂ）にも示されているように、左下衽４７の開放縁４７ａが着用者Ｈの右腰の位置にくるようにして着用されることになる。
【００４８】
下側着衣４２の着用を終えた着用者Ｈは、次いで、例えば図３（ａ）に示すように上側着衣１２の右上前身頃１３側と左上前身頃１４側とを広げた状態にした上で、左の小袖３０には左腕を、右の小袖３０には右腕をそれぞれ通すことで、上側着衣１２を図１（ａ）に示す状態のもとで下側着衣４２の伸縮ギャザー部５０を上から覆うようにして着込むことができる。
【００４９】
このようにして上側着衣１２を着込んだ後の着用者Ｈは、左上前身頃１４が右上前身頃１３の上に位置するように打ち合わせを行った上で、まず右細紐２１と左細紐２４とを結び合わせることになるが、このとき、比較的強く引き合って結び合わせたり、比較的緩く引き合って結び合わせたりすることで、着用時におけるゆとりの調整ができることになる。
【００５０】
右細紐２１と左細紐２４とを結び合わせた後の着用者Ｈは、右帯紐１９と左帯紐２３とを結び合わせることになるが、右帯紐１９が６５．０〜７５．０ｃｍの長さで、左帯紐２３が５５．０〜６５．０ｃｍの長さがある場合には、好みにより図６（ａ）に示すように着用者Ｈの右腰側でゆったりと結んだり、しっかりと結んだりすることができるほか、図６（ｂ）に示すように腰回りを一周させて着用者Ｈの左腰側でしっかり結んだりすることができる。
【００５１】
このため、下側着衣４２と上側着衣１２との着用を終えた後の着姿は、例えば図７にも示されているように、上側着衣１２の左上衽１７のラインと下側着衣４２の左下衽４７とのラインとがあたかも一体となっているようにして襟なし二部式着物１１を着こなすことができることになる。
【００５２】
このため、本考案によれば、上側着衣１２と下側着衣４２とには、それぞれの裏面１２ｂ，４２ｂに対し裏地３５，５５を着脱用の止着具５２を介して着脱可能に配置されているので、自分好みの裏地３５，５５をその時々の状況や用途に応じて簡単に付け替えることで、袷として着用することができるほか、裏地を取り外すことでひとえ物として着用することもできることになる。
【００５３】
また、裏地３５，４５が保温機能を有するフリース生地を用いて形成されている場合には、、寒い時期には着脱用の止着具５２を介して上側着衣１２と下側着衣４２とのそれぞれの裏面１２ｂ，４２ｂに単に取り付けることで、保温効果を高めて着用することができる。しかも、暑い時期には、上側着衣１２と下側着衣４２とのそれぞれの裏面１２ｂ，４２ｂに取り付けてあるフリース生地からなる裏地３５，５５を単に取り外して、快適に着用することができることから、オールシーズンタイプの襟なし二部式着物１１を提供することができることになる。    
【００５４】
また、下側着衣４２が手を出し入れするための開口部５７を有するポケット５６を備えている場合には、例えば携帯電話などのような携帯用小物を常に安心して持ち歩くことができることになる。また、下側着衣４２は、左下前身頃４５側の右下前身頃４４側への巻込み面積を増加させてある場合には、着用時に左下前身頃４５側がはだけてしまうのを効果的に防止することができるほか、裏地５５の交換時には、図示しない前記止着具を外して左下前身頃４５を図５に示すように開くことができるので、より簡単に裏地５５の交換作業を行うことができる。
【００５５】
また、襟なし二部式着物１１が襟なしの上側着衣１２と巻きスカート状の下側着衣４２とで構成され、特に、上側着衣１２は、左右の小袖３０に腕を通して着込み、右細紐２１と左細紐２４とを結んだ上で、右帯紐１９と左帯紐２３とを結ぶことができる場合には、家庭でも日常着として気軽に、かつ、簡単に着用することができる。また、洋服のＶネックのような襟なしとすることで、現代的などんな髪型にもマッチさせることができるほか、手持ちのアクセサリーで襟元のおしゃれを楽しむこともできる。また、上側着衣１２を襟なしとして形成したことにより、着用者の首回りをすっきりとさせることができる。
【００５６】
しかも、左細紐２４は、裾部１８の下縁１８ａから１４．０〜１６．０ｃｍ上方に位置する上後身頃１５との境界に位置する裏面１２ｂ側から引き出されている場合には、右上衽１６の裾部１８の開放端２０から引き出されている右細紐２１と結び合わせて着用した際に、左上前身頃１４の裾部１８が右上前身頃１３の裾部１８の下から出てしまうことを確実に防いで、誰もが簡単に美しい着姿を得ることができる。
【００５７】
また、上側着衣１２がその表面１２ａ側に右上衽１６から右上前身頃１３と上後身頃１５と左上前身頃１４とを経て左上衽１７へと至る帯状の裾部１８を備えているほか、右上前身頃１３と上後身頃１５との境界位置にある裾部１８から該裾部１８と同じ幅で引き出された右帯紐１９と、左上前身頃１４の左上衽１７における裾部１８の開放端２０から該裾部１８と同じ比較的細い幅で引き出された左帯紐２３とを備えている場合には、その着用時に右帯紐１９と左帯紐２３との存在感がそれだけ希薄化することで上側着衣１２と下側着衣４２との一体感を高めてすっきりとした視覚印象を見る者に与えることができる。
【００５８】
さらに、右帯紐１９が紐幅を４．０〜６．０ｃｍとし、長さを６５．０〜７５．０ｃｍとし、左帯紐２３が紐幅を４．０〜６．０ｃｍとし、長さを５５．０〜６５．０ｃｍとしてある場合には、着用者Ｈの体格に応じて右細紐２１と左細紐２４との結び具合を変えることにより着用時におけるゆとりの調整を行うことができるほか、好みにより図６（ａ）に示すように着用者Ｈの右の腰側でゆったりと結んだり、しっかりと結んだりすることができるほか、図６（ｂ）に示すように腰回りを一周させて着用者の左の腰側でしっかり結んだりすることもでき、寸法の調整を行いながら結び方のおしゃれを楽しむこともできる。
【００５９】
また、上側着衣１２の右上前身頃と左上前身頃とは、それぞれの裾部に前下がり部が形成されている場合には、着用時における胸のふくらみ分を吸収することができるゆとり幅を得ることができ、着姿をそれだけ美しくすることができる。
【００６０】
さらに、上側着衣１２における上後身頃は１５が着用時に首回りが位置する上縁部にその周辺が見返しで裏打ちされた凹部２９を備えている場合には、襟をなくしても着用時における襟首回りの保形性を高めた状態のもとで首回りにフィットさせることができる。
【００６１】
また、下側着衣４３が左下衽１７の縦寸方向での開放縁を下後身頃４３と右下前身頃４４との境界縁よりもやや下後身頃４３寄りに位置させ、かつ、その胴回り部に伸縮ギャザー部５０を備える巻きスカート形状となって形成されている場合には、スカートのように簡単に着用することができるほか、その着用時に右上衽１６と左下衽１７との間の整合性を高めつつ、一部式着物の着姿と同様な一体感を伴った着姿を得ることができる。
【００６２】
また、図４に示すように下側着衣４２における下後身頃４３の横幅Ｗ１が右下衽４６と右下前身頃４４との合計横幅Ｗ２と左下前身頃４５と左下衽４７との合計横幅Ｗ３との和よりも長くして形成されている場合には、着用時における着用者Ｈのヒップの丸みを極く自然に包み込むことができる。
【符号の説明】
【００６３】
１１  襟なし二部式着物
１２  上側着衣
１２ａ  表面
１２ｂ  裏面
１３  右上前身頃
１４  左上前身頃
１５  上後身頃
１６  右上衽
１７  左上衽
１８  裾部
１８ａ  下縁
１９  右帯紐
２０  開放端
２１  右細紐
２２  開放端
２３  左帯紐
２４  左細紐
２５，２６  前下がり部
２７  上縁部
２９  見返し
２９  凹部
３０  小袖
３１  裏打ち部
３５  裏地
４２  下側着衣
４２ａ  表面
４２ｂ  裏面
４３  下後身頃
４４  右下前身頃
４５  左下前身頃
４６  右下衽
４７  左下衽
４８  胴回り部
４９  ゴム材
５０  伸縮ギャザー部
５２  止着具
５５  裏地
５６  ポケット
５７  開口部
Ｈ  着用者
【図１】
0003181920.tif 000003
【図２】
0003181920.tif 000004
【図３】
0003181920.tif 000005
【図４】
0003181920.tif 000006
【図５】
0003181920.tif 000007
【図６】
0003181920.tif 000008
【図７】
0003181920.tif 000009